(57)【要約】  使用時に哺乳瓶加温器が支持される面に対して角度をもつように構成された、底部壁（５）及び側部壁（６）をもち、哺乳瓶を受容するチャンバを有する哺乳瓶加温器が開示される。チャンバよりも高く配置された水用リザーバ（１１）は、重力により、パイプ（１２）を通じてチャンバ内に水を供給する。水用リザーバは、パイプを除いで密閉されており、チャンバ内の水位が、水位の上昇が妨げられるパイプの出口（１５）の水準まで到達するまで、空気はパイプを沿って水と反対の方向に流れる。哺乳瓶がチャンバ内に挿入された場合に、哺乳瓶とチャンバの壁（５，６）との間に層を形成するように、水は押しのけられる。この水の層は効率的な熱伝達機構として機能する。哺乳瓶加温器は、加熱サイクルの終わりに、加熱を防止し、使用者に加熱サイクルの完了を合図するために、哺乳瓶を少なくとも部分的にチャンバの外側に持ち上げる機構を更に有する。
2015500693.tif 000002
【特許請求の範囲】
【請求項１】
哺乳瓶加温器であって、
使用時にテーブルのような水平な支持面上に配置可能なボディを有し、
該ボディは、加温される哺乳瓶を受容可能なチャンバを有し、
該チャンバは、該チャンバに受容される瓶が、前記ボディが配置される前記支持面に対して角度をもって支持されるように構成され、
前記チャンバは、底部壁及び側部壁を更に有し、
当該哺乳瓶加温器は、ヒータを更に有し、
該ヒータは、前記哺乳瓶を加熱することによって該哺乳瓶の内容物が混合されるように、前記チャンバの前記底部壁上又は前記底部壁近傍に配置されていることを特徴とする、
哺乳瓶加温器。
【請求項２】
前記ヒータは、前記哺乳瓶を加熱することによって該哺乳瓶の内容物が混合されるように、前記底部壁と前記側部壁との間の前記チャンバの最下点又は最下点近傍に配置される、請求項１記載の哺乳瓶加温器。
【請求項３】
前記チャンバは、該チャンバ内に受容された瓶を角度をもって支持するように構成された瓶支持要素を有する、請求項１又は請求項２記載の哺乳瓶加温器。
【請求項４】
前記底部壁及び前記底部壁は、該チャンバ内に受容された瓶を角度をもって支持するように構成されている、請求項３記載の哺乳瓶加温器。
【請求項５】
瓶の加熱を防止するために、瓶を少なくとも部分的に前記チャンバの外側に持ち上げることが可能な、挙上部材を有する、請求項１乃至４のいずれか一項に記載の哺乳瓶加温器。
【請求項６】
前記挙上部材は、瓶の内容物が所定の温度に到達した場合、又は所定の時間が経過した場合に、瓶を少なくとも部分的に前記チャンバの外側に持ち上げるように構成されている、請求項５記載の哺乳瓶加温器。
【請求項７】
前記挙上部材を駆動するモータ、及び
該モータを操作するための使用者制御ボタンを有する、
請求項５又は請求項６記載の哺乳瓶加温器。
【請求項８】
前記挙上部材は、
バネ、及び
バネキャッチであって、使用者が瓶をチャンバ内に挿入して、付勢力に逆らって瓶を押し込んだ場合に該バネキャッチが係合し、所定の温度に到達した場合又は所定の時間が経過した場合に、該バネキャッチが開放されるように構成された、バネキャッチ、
を有する、請求項５乃至７のいずれか一項に記載の哺乳瓶加温器。
【請求項９】
前記ヒータは、瓶が前記チャンバ内に挿入された場合に水が該瓶と前記チャンバの壁との間に層を形成するように、瓶の挿入より前に前記チャンバ内に入れられた、所定量の水を加熱する、請求項１乃至８のいずれか一項に記載の哺乳瓶加温器。
【請求項１０】
前記チャンバは筒状であり、
前記ヒータは、前記チャンバの長手軸からずらされている、
請求項１乃至８のいずれか一項に記載の哺乳瓶加温器。
【請求項１１】
水用リザーバであって、瓶の前記チャンバ内への挿入より前に、前記チャンバ内の水が所定の水準まで到達するまで、前記水用リザーバ内の水が前記チャンバ内に流れるように、前記チャンバに接続された、水用リザーバを更に有する、請求項１乃至１０のいずれか一項に記載の哺乳瓶加温器。
【請求項１２】
前記リザーバは、所定の水準に到達するまで、重力下で前記リザーバから前記チャンバへ水が自由に流れるように、前記チャンバより上に配置されている、請求項１０記載の哺乳瓶加温器。
【請求項１３】
前記水用リザーバを前記チャンバの入口に接続するパイプを有し、
前記チャンバ内の水位が前記入口よりも上方に上がり、前記リザーバへ戻る空気経路が止められるまで、該パイプを介して、水は前記チャンバ内に一方向に流れ、空気は前記リザーバ内に反対方向に流れるように、該パイプを除いて前記水用リザーバは密封されている、
請求項１０又は請求項１１記載の哺乳瓶加温器。
【請求項１４】
前記チャンバは、側部壁及び底を有し、
前記入口は、前記底部壁から離間して前記側部壁に形成されている、
請求項１３記載の哺乳瓶加温器。
【発明の詳細な説明】
【技術分野】
【０００１】
本発明は、哺乳瓶加温器に関する。
【背景技術】
【０００２】
乳児及び幼児は、一般的に母乳の補助又は代替として、哺乳瓶からミルク及びその他の食品を与えられている。母乳を与える場合、母乳は３７℃前後の母親の体温で、乳児によって摂取される。そのため、この温度に合わせるために哺乳瓶の中に含まれるミルクを加熱又は加温することが必要であり、さもなければ、ミルクが幼児に拒絶されてしまうかも知れない。ミルクが冷た過ぎる場合は、幼児はミルクを拒絶するかも知れず、又は冷たいミルクを摂取することによっていくらかの不快感を感じる。ミルクが熱すぎる場合は、乳児は火傷をするかも知れない。
【０００３】
したがって、授乳に先立って、哺乳瓶及びその内容物はおよそ３７℃まで加熱されなければならない。哺乳瓶を受容して、その内容物と一緒に、要求される温度まで加熱する多くの製品が存在する。典型的は例は、米国特許公開ＵＳ２００７／０２８０６５７号公報に記載のものである。その製品は二つの加熱区域を有し、タイマー及びサーモスタットシステムを使用して加熱要素を制御し、瓶内に含まれるミルクを加熱する。
【０００４】
既存の製品の大多数がもつ課題は、ミルク全体における不均一な熱の分配である。哺乳瓶が直立した姿勢に置かれて下方から加熱される場合、熱いミルクほど浮力が大きく、そのため上端に向かって上昇し、より冷たいミルクは下方に移動する。これは、ミルクのいくつかの部分が他の部分よりも有意に熱いために、乳児に授乳するには危険であり得る、ミルクの熱による層化を引き起こす。この課題に対処するための既知の方法は、加熱の間にミルクを撹拌又は混合すること、又はミルクが加熱されている間にミルクを揺する又は振動させることである。撹拌は、ミルク内へ例えばスパチュラのような何かを挿入することを要し、衛生及び洗浄の課題を生み出す。揺すること又は振動させることは、追加的な哺乳瓶加熱器（又は加温器）の複雑さを要求し、騒々しい、又は不便である可能性がある。
【０００５】
例えば国際特許出願公開ＷＯ２０１１／１２８４６７Ａ１号公報から、使用時にテーブルのような水平な支持面上に配置可能なボディを有する哺乳瓶加温器を提供することが知られている。ボディは、加温される哺乳瓶を受容可能なチャンバを有し、チャンバは、チャンバに受容される瓶を、ボディが配置される支持面に対して角度をもって支持するように構成された底部壁及び筒状の側部壁を有する。哺乳瓶加温器はまたヒータを有する。
【０００６】
ヒータから哺乳瓶への熱伝達を補助するため、加熱中に哺乳瓶を取り囲む水を使用することが知られている。この方法を用いる既存の製品が持つ課題は、要求された温度に到達してヒータがオフになった場合に、哺乳瓶を取り囲む水はなお有意な量の熱を保っているものであり、そのため哺乳瓶の温度が上昇を続け得ることである。米国特許第２，９９２，３１６号公報から知られる哺乳瓶加温器は、要求された温度が達成された時点で哺乳瓶を水から持ち上げ、加熱領域から離して更なる加熱を防止し、使用者に加熱プロセスが終了したことを示す装置を提供することによって、この課題を軽減することを試みる。
【先行技術文献】
【特許文献】
【０００７】
【特許文献１】米国特許公開ＵＳ２００７／０２８０６５７号公報
【特許文献２】国際特許出願公開ＷＯ２０１１／１２８４６７Ａ１号公報
【特許文献３】米国特許第２，９９２，３１６号公報
【発明の概要】
【発明が解決しようとする課題】
【０００８】
本発明は、先に言及された課題を克服又は実質的に軽減し、哺乳瓶の内容物全体に渡って効果的な熱分配及び正確な温度の制御を提供することを試みる。
【課題を解決するための手段】
【０００９】
本発明によれば、哺乳瓶加温器であって、使用時にテーブルのような水平な支持面上に配置可能なボディを有し、ボディは、加温される哺乳瓶を受容可能なチャンバを有し、チャンバは、チャンバに受容される瓶が、ボディが配置される支持面に対して角度をもって支持されるように構成され、チャンバは、底部壁及び側部壁を更に有し、哺乳瓶加温器はヒータを更に有し、ヒータは、哺乳瓶を加熱することによって哺乳瓶の内容物が混合されるように、チャンバの底部壁上又は底部壁近傍に配置されていることを特徴とする、哺乳瓶加温器が提供される。
【００１０】
一つの実施形態において、ヒータは、哺乳瓶を加熱することによって哺乳瓶の内容物が混合されるように、底部壁と側部壁との間のチャンバの最下点又は最下点近傍に配置される。
【００１１】
一つの実施形態において、チャンバは、チャンバ内に受容された瓶を角度をもって支持するように構成された瓶支持要素を有してもよい。
【００１２】
好ましくは、底部壁及び底部壁は、チャンバ内に受容された瓶を角度をもって支持するように構成されている。
【００１３】
瓶を傾斜した姿勢に置いて加熱することの利点は、瓶の液体の内容物内における対流が混合を促進することである。この傾斜した姿勢は、加熱領域のすぐ上側に角度をもった（又は斜めの）面（哺乳瓶の側面）が存在することを意味する。この構成は、内容物が加熱され液体の層別化を防ぐ、自然な混合効果を生み出す。
【００１４】
哺乳瓶加温器は、瓶の加熱を防止するために、瓶を少なくとも部分的にチャンバの外側に持ち上げることが可能な、挙上部材を有してもよい。
【００１５】
この実施形態において、挙上部材は、瓶の内容物が所定の温度に到達した場合、又は所定の時間が経過した場合に、瓶を少なくとも部分的にチャンバの外側に持ち上げるように構成されている。
【００１６】
加熱サイクルが完了した時点で、瓶を少なくとも部分的にチャンバの外側に持ち上げることの利点は、瓶の過熱が防止されることである。また、瓶の位置は、加熱サイクルが完了したことの使用者への合図としても機能することができる。最も好ましくは、挙上部材は、少なくとも、ヒータから瓶及びその内容物への熱の伝達を媒介するチャンバ内の水から、瓶を取り除くために十分な距離の分、瓶を持ち上げる。瓶が水に浸かっていない場合は、その結果瓶はそれ以上ヒータによって加熱されず、瓶の内容物の過熱が実質的に防止される。
【００１７】
モータが挙上部材を駆動してもよく、モータを操作するための使用者制御ボタンを有してもよい。
【００１８】
他の実施形態において、挙上部材は、バネ、及びバネキャッチであって、使用者が瓶をチャンバ内に挿入して、付勢力に逆らって瓶を押し込んだ場合にバネキャッチが係合し、所定の温度に到達した場合又は所定の時間が経過した場合に、バネキャッチが開放されるように構成された、バネキャッチ、を有する。
【００１９】
好ましくは、ヒータは、瓶がチャンバ内に挿入された場合に水が瓶とチャンバの壁との間に層を形成するように、瓶の挿入より前にチャンバ内に入れられた、所定量の水を加熱する。
【００２０】
他の実施形態において、哺乳瓶加温器は、水用リザーバであって、瓶のチャンバ内への挿入より前に、チャンバ内の水が所定の水準まで到達するまで、水用リザーバ内の水がチャンバ内に流れるように、チャンバに接続された、水用リザーバを有してもよい。この特徴は既に上述した哺乳瓶加温器にとって好ましい特徴であると考えられるが、使用者が哺乳瓶加熱器（又は加温器）の使用ごとにチャンバに水を補充する必要がないため、この特徴は単独でも既知の哺乳瓶加温器を上回る利点を提供する。その上に、この特徴は、チャンバが、ヒータから瓶及びその内容物への所望の熱伝達を提供するための正確に正しい量の水を包含することを確かにする。したがって、本発明の別の態様によれば、加熱される哺乳瓶を受容するチャンバを有する哺乳瓶加温器であって、水用リザーバであって、瓶のチャンバ内への挿入より前に、チャンバ内の水が所定の水準まで到達するまで、水用リザーバ内の水がチャンバ内に流れるように、チャンバに接続された、水用リザーバを有する、哺乳瓶加温器が提供される。
【００２１】
本発明のいずれの態様においても、リザーバは好ましくは所定の水準に到達するまで、重力下でリザーバからチャンバへ水が自由に流れるように、チャンバより上に配置されている。
【００２２】
哺乳瓶加温器は、水用リザーバをチャンバの入口に接続するパイプを有してもよく、チャンバ内の水位が入口よりも上方に上がり、リザーバへ戻る空気経路が止められるまで、パイプを介して、水はチャンバ内に一方向に流れ、空気はリザーバ内に反対方向に流れるように、パイプを除いて水用リザーバは密封されていてもよい。この構成は、（水用リザーバが水を含んでいることを確かにする以上の）使用者による相互作用の必要なく、動作が自動的に実行され、常に同じ量の水をチャンバ内に提供するという利点を有する。
【００２３】
チャンバは、側部壁及び底を有してもよく、入口は、底から離間して側部壁に形成されていてもよい。哺乳瓶と加熱チャンバとの間のこの水の層は、効果的な熱伝達媒体を生み出す。加熱チャンバ内に供給される水の量は、加熱領域の大きさを決定し、それ故に加熱プロセスの速度を決定する。水は、熱伝達のために空気よりはるかに効率的な媒体であり、費用、健康及び安全、又は衛生の観点において負の副作用を持たない。
【００２４】
これから、添付の図面を参照しつつ、単なる例として、複数の好ましい実施形態が説明される。
【図面の簡単な説明】
【００２５】
【図１】図１は、本発明の第一の実施形態の断面図を示す。
【図２ａ】図２ａは、本発明の第二の実施形態の断面図を示す。
【図２ｂ】図２ｂは、図２ａの実施形態を示す。
【図２ｃ】図２ｃは、図２ａ及び図２ｂの実施形態を示す。
【図３】図３は、ボトルを含む図１の実施形態の断面図を示す。
【図４ａ】図４ａは、本発明の第三の実施形態の断面図を示す。
【図４ｂ】図４ｂは、図４ａの実施形態を示す。
【発明を実施するための形態】
【００２６】
図面を参照すると、図１は、少なくともメインボディ２、加熱チャンバー３及び加熱要素４を有する哺乳瓶加熱器（又は加温器）１を示す。
【００２７】
加熱チャンバ３は、二つの壁で形成された筒状の凹部によって形成される。二つの壁は、円形の底部壁５、及び底部壁５の周縁から直角に延びて筒状の凹部を形成する、筒状の側部壁６である。
【００２８】
加熱チャンバ３は、哺乳瓶加熱器（又は加温器）１の上端側からアクセス可能であるようにメインボディ２の一部分を形成する。メインボディ２は、哺乳瓶加熱器（又は加温器）１に関する制御部７、表示部及び電気回路（図示なし）を収納する。
【００２９】
加熱チャンバ３は、筒状凹部の主要な長手軸８は、メインボディ２が水平な面上に置かれた場合に、鉛直方向に対して角度を有するようにメインボディ２内に配置される。
【００３０】
図２ａ、図２ｂ及び図２ｃは、哺乳瓶加熱器（又は加温器）に取り付けられた水供給アセンブリ１０を示す。水供給アセンブリ１０は、例えば気密で着脱可能な蓋を有する水タンクのような、密閉された水貯蔵領域すなわちリザーバ１１を有する。リザーバ１１は、パイプ１２を介して、入口１５において加熱チャンバ３に接続されている。パイプ１２は、水が水タンク１１から加熱チャンバ３内へ通過することを許容する。水は、加熱チャンバ３内において、自然に底部壁５及び筒状の側部壁６によって形成された加熱チャンバ３の最下点１３に向かって流れる。加熱チャンバ内の水位がパイプ１２の出口１５よりも低い場合は、空気は、大気に対して開いている加熱チャンバ３から接続パイプ１２を上がり、水タンク１１はパイク１２を介する以外は大気から密閉されているというように、水タンク１１へ流れる。
【００３１】
図２ｂに示されているように、加熱チャンバ３内の水位が、加熱チャンバ３から水タンク１１内への空気の移動が阻まれるような水準まで到達した場合は、水の流れが止められ、加熱チャンバ３内の水位１４は一定にとどまる。パイプ１２の出口１５は、加熱チャンバ３内に常に適切な量の水が存在するように構成されることができる。
【００３２】
図２ｃは、哺乳瓶２０が加熱チャンバ３内に挿入されたときの哺乳瓶加熱器（又は加温器）１を示す。哺乳瓶２０は、実質的に筒状の本体を有しており、したがって加熱チャンバ３の筒状凹部に接近して適合するが、ぴったりとは適合しない。哺乳瓶２０は、加熱チャンバ３内の水を押しのけ、水が哺乳瓶２０と壁５，６との間に薄い層２１を形成するようにする。この水の層２１は、加熱チャンバ３の壁５，６と哺乳瓶２０との間の効率的な熱伝達を可能にする。
【００３３】
加熱要素４は、全ての図面に示されるように、加熱チャンバ３の底部壁５に隣接して配置されるが、この近傍の如何なる位置にも配置され得る。加熱要素４は、電気的にパワーを与えられてもよく、加熱チャンバの壁５，６の温度上昇をもたらす熱を生み出す。壁５，６の温度上昇は、今度は哺乳瓶２０と加熱チャンバの壁５，６との間の水の層２１を介した哺乳瓶２０への熱伝達をもたらす。水の層２１は、熱を伝達する効率が、空気の隙間が熱を伝達するであろう効率よりも有意に高い。
【００３４】
加熱要素４の配置、加熱チャンバ３の角度及び哺乳瓶２０と加熱チャンバ３の壁５，６との間の水の層２１は、水の層２１の範囲によって規定されるように、哺乳瓶２０が主に一方の側面及び哺乳瓶の底部を越えて加熱されることをもたらす。
【００３５】
図３は、加熱プロセスの結果としての哺乳瓶２０内の液体２４の内部での熱対流２３を示す。対流２３は、水平方向において不均一な液体２０の浮力を生み出し、自然な混合効果を生み出し、それによって熱による層化を防止し、液体２０全体に渡って大部分が均一な熱分配を確かにする。上述の哺乳瓶加熱器（又は加温器）１の特徴は、例えば加熱時間又は要求される温度のいずれかの設定、及び加熱素子４の自動的なスイッチオン／オフを可能にするサーモスタットのような、哺乳瓶加熱器（又は加温器）のより従来的な要素を用いて実現される可能性がある
図４ａ及び図４ｂは、加熱チャンバ３を有する哺乳瓶加熱器（又は加温器）１を示す。この哺乳瓶加熱器（又は加温器）１は、加熱要素４が取り付けられる固定部材２５、及び哺乳瓶２０を保持し、加熱チャンバ３の固定部材２５に対してスライド可能なスライド部材２６を更に有する。図４ａは、スライド部材２６が哺乳瓶２０が水２１に接触し、故に加熱され得るように下げられた、加熱プロセス中の哺乳瓶加熱器（又は加温器）１を示す。図４ｂは、加熱プロセスの終了時の哺乳瓶加熱器（又は加温器）１を示す。加熱プロセスの終了時において、スライド部材２６は、哺乳瓶２０が水２１又は加熱要素４に接触せず、よって加熱されないようにスライドされている。この構成は、ひとたび液体２４が要求された温度に到達すると、哺乳瓶２０が加熱領域から取り除かれ、水の外にスライドされることを可能にする。この構成は、液体２４の過剰な加熱を防止し、加熱プロセスの最終部分において加熱要素４の温度を下げる必要を無くし、そして使用者に加熱プロセスが完了したときの明確な表示を与えることができる。
【００３６】
一つの実施形態において、このスライドする設計を実現するためにサーモスタット及び作動（actuation）アセンブリが要求されるであろう。サーモスタットは、液体が要求された温度に到達した場合にアクチュエータに対して信号を与える。そして、アクチュエータは、スライド部材２６をスライドさせ、よって哺乳瓶２０を持ち上げて加熱要素４から離す。しかしながら、スライド機構は手動で操作されてもよい。
【００３７】
アクチュエータは、例えばギアセットシステムのような伝達システムをもつ電動モータ又はスライド部材２６を移動可能にスライドさせるリニアアクチュエータを有してもよい。アクチュエータは、代わりにバネ及びキャッチアセンブリを有してもよい。バネ及びキャッチアセンブリを用いる場合は、使用者は、哺乳瓶２０及びスライドアセンブリを加熱要素に向かって押し下げ、バネを圧縮してキャッチに係合させる必要がある。サーモスタットは、適切な温度でキャッチの係合を外し、よってバネはスライド部材を作動させて哺乳瓶２０を加熱要素４から離れるように持ち上げる。
【００３８】
用語“有する”又は“含む”は、他の要素又はステップを排除しないこと、及び不定冠詞“一つ”又は“ある”は複数であることを排除しないことが、理解されるであろう。ある複数の手段が、互いに異なる従属請求項に列挙されたという単なる事実は、これらの手段の組合せが有利に使用できないことを示唆しない。特許請求の範囲中の如何なる符号も、特許請求の範囲を限定するものとして解釈されるべきでない。
【００３９】
本出願において、特許請求の範囲は、特徴の具体的な複数の組合せについて策定されてはいるが、本発明の開示の範囲はまた、請求項において現に請求された同一の発明に関するものであるかによらず、本発明が軽減する同一の技術的課題のいくらか又は全てを軽減するものであるかに関わらず、本明細書において明示的又は黙示的に開示された如何なる新たな特徴又は如何なる新たな特徴の組み合わせ、又はそれらの如何なる一般化をも含むことが理解されるべきである。出願人はこれによって、本出願又は本出願に由来する更なる出願の審査経過の間に、そのような特徴及び／又は特徴の組み合わせについて新たな請求項が策定され得ることができるという通知を与える。
【００４０】
以下の特許請求の範囲に含まれる他の改良及び変形が、当業者にとって明らかになるであろう。
【図１】
2015500693.tif 000003
【図２ａ】
2015500693.tif 000004
【図２ｂ】
2015500693.tif 000005
【図２ｃ】
2015500693.tif 000006
【図３】
2015500693.tif 000007
【図４ａ】
2015500693.tif 000008
【図４ｂ】
2015500693.tif 000009
【国際調査報告】
2015500693.tif 000010
2015500693.tif 000011